(57)【特許請求の範囲】
【請求項１】
「発声障害者がキー押し装置の盤面の各キーに対する所定のキー押し操作を行なうことによって入力した電気信号としての所定のひらがなを発声装置において順次に当該のひらがなの音声に変換して他者に向けて発声し放送することによって、発声障害者から他者に対する音声による意思や情報の伝達を行なうキー入力発声器」におけるその「キー押し装置の盤面におけるキーの配列」として
イ、所定の１個のキーを単独で押すこともしくは所定の２個のキーを同時に押すことによ  って「所定のひらがなの清音・撥音」を入力するために設定された「ひらがなの五十音  配列に従った四列五段からなるひらがなキーの配列」。
ロ、所定のひらがなの清音のキーを押した直後に所定のキーを押すこともしくは所定のひ  らがなの清音のキーと所定のキーを同時に押すことによって「所定のひらがなの濁音・  半濁音・拗音」を入力し所定のキーを単独で押すことによって「促音・長音」を入力す  るために設定された「イの四列五段からなるひらがなキーの配列の側面に付随する一列  五段からなるキーの配列」。
の２種類のキーの配列が成されていることを特徴とするキー入力発声器。
【発明の詳細な説明】
【発明の詳細な説明】
【技術分野】
【０００１】  本願発明は、
「発声障害者がキー押し装置２の盤面の各キー４に対する所定のキー押し操作を行なうことによって入力した電気信号としての所定のひらがなを発声装置３において順次に当該のひらがなの音声に変換して他者に向けて発声し放送すること」によって、従来は行なうことができなかった「発声障害者から他者に対する音声による意思や情報の正確かつ迅速な伝達を行なうこと」
を目的とした発明であり、
イ、盤面の各キー４に対する所定のキー押し操作を行なうことによって自らの意思や情報  をひらがなとしての音素別に電気信号として順次に発声装置３に向けて送信するキー押  し装置２。
ロ、キー押し装置２から順次に送信されてくる電気信号としてのひらがなを順次に当該の  ひらがなの音声に変換し他者に向けて発声し放送する発声装置３。
の２種の装置の連携的作動によって
ハ、発声障害者の意思や情報を音声として他者に向けて発声し放送し伝達するキー入力発  声器１。
に係る発明である。
ただし、『発声障害者』とは、「まったく発声をすることができない人もしくは発音不明瞭な発声をする人」をいう。
【背景技術】
【０００２】  従来においては、発声障害者が他者との間において意思や情報の伝達を行なうに際しては、
イ、手話によって意思や情報の伝達を行なう。
ロ、筆記・筆談によって意思や情報の伝達を行なう。
以外の方法はありえなかったし、これらの手話・筆記・筆談等のいずれの方法においても「発声障害者が他者に対して伝達しようと意図していた意思や情報とりわけ専門用語・学術用語等からなる難解な言葉や複雑な感情や意思」を必ずしも意図通りに正確かつ迅速に伝達できるとは限らなかった。
【先行技術文献】
【０００３】  出願人が特許庁のホームページの「Ｊ−ＰｌａｔＰａｔ」において、本願発明に類似もしくは近似すると考えられる先願事案を詳細に検索してみたが、「発声器・発声機械等の用語が使われた発明」に該当する先願事案を見つけることはできなかった。
【０００４】  また、「本願発明に関連する非特許文献」をインターネット検索によって探してみたが適当な参考文献は見つからなかった。
【発明の概要】
【発明が解決しようとする課題】
【０００５】  「発声障害者がキー押し装置２の盤面の各キー４に対する所定のキー押し操作を行なうことによって入力した電気信号としての所定のひらがなを発声装置３において順次に当該のひらがなの音声に変換して他者に向けて発声し放送すること」によって、従来は行なうことができなかった「発声障害者から他者に対する音声による意思や情報の正確かつ迅速な伝達を行なうこと」
を課題とする。
【課題を解決するための手段】
【０００６】  本願発明は、
イ、盤面の各キー４に対する所定のキー押し操作を行なうことによって自らの意思や情報  をひらがなとしての音素別に電気信号として順次に発声装置３に向けて送信するキー押  し装置２。
ロ、キー押し装置２から順次に送信されてくる電気信号としてのひらがなを順次に当該の  ひらがなの音声に変換し他者に向けて発声し放送する発声装置３。
の２種の装置の連携的作動によって
「発声障害者がキー押し装置２の盤面の各キー４に対する所定のキー押し操作を行なうことによって入力した電気信号としての所定のひらがなを発声装置３において順次に当該のひらがなの音声に変換して他者に向けて発声し放送すること」によって、従来は行なうことができなかった「発声障害者から他者に対する音声による意思や情報の正確かつ迅速な伝達を行なうこと」
を目的とするキー入力発声器１であって、
その具体的な操作方法や作動方法・作動状況等については、後述の「『発明を実施するための形態』における『実施例１』」において説明するとおりである。
【発明の効果】
【０００７】  本願発明により、
発声障害者は、「携帯したキー入力発声器１のキー押し装置２の盤面の各キー４に対する所定のキー押し操作を行ない発声装置３における相応の発声を行なうこと」によって、自身の意思や情報を他者に音声として正確かつ迅速に伝達報知することができ、他者との自在な音声交流や会話ができる効果が得られるものである。
【図面の簡単な説明】
【０００８】
【図１】図１は、「キー入力発声器１の斜視図」である。
【図２】図２の（１図）〜（６図）は、「キー押し装置２の盤面におけるキー４のひらがな配列図」である。ただし、この「キー押し装置２の盤面におけるキー４」は「押しボタンとしてのキーもしくはタッチパネルとしてのキー」のいずれであってもよい。
【発明を実施するための形態】
【０００９】  本願発明は、発声障害者が「携帯したキー入力発声器１におけるキー押し装置２の盤面の各キー４に対する所定のキー押し操作を行なうことによって入力した電気信号としての所定のひらがなを発声装置３において順次に当該のひらがなの音声に変換して他者に向けて発声し放送すること」によって、自身の意思や情報を他者に音声として正確かつ迅速に伝達報知し、他者との自在な音声交流や会話を行なうキー入力発声器１である。
【００１０】  したがって、その実施例は「以下の『実施例１』」のとおりとなる。
【実施例１】
【００１１】  「キー押し装置２の盤面におけるキー４のひらがな配列」に関しては、
「『図２』の（１図）〜（６図）」で表示するような「ひらがなの五十音配列に従ったキー４の配列」としての
イ、「四列五段からなるキー４のひらがな配列」であって「所定の１個のキー４を単独で  押すこともしくは所定の２個のキー４を同時に押すことによって『所定のひらがなの清  音・撥音』を入力するためのキー４の配列」。
ロ、「四列五段からなるイのキー４のひらがな配列の側面に付随する一列五段からなるキ  ー４の配列」であって「所定のひらがなの清音のキー４を押した直後に所定のキー４を  押すこともしくは所定のひらがなの清音のキー４と所定のキー４を同時に押すことによ  って『所定のひらがなの濁音・半濁音・拗音』を入力し所定のキー４を単独で押すこと  によって『促音・長音』を入力するためのキー４の配列」。
の２種類のキー４の配列によって構成されているが、
「それぞれのキー４におけるひらがなの入力のための操作と機能の詳細」を「『図２』の（１図）〜（６図）」に従って説明すると、以下の１〜１１のとおりとなる。【００１２】１、（１図）は、左の列から「第一列が『はひふへほ』」「第二列が『たちつてと』」「  第三列が『さしすせそ』」「第四列が『かきくけこ』」を入力するためのキー４の配列  図である。
イ、「は・ひ・ふ・へ・ほ・た・ち・つ・て・と・さ・し・す・せ・そ・か・き・く・    け・こ」の入力は、「該当のキー４の１個のキー」を単独で押すことによって行なわ    れる。
２、（２図）は、左の列から「第三列と第四列が『あいうえお』」を入力するためのキー  ４の配列図である。
イ、「あ・い・う・え・お」の入力は、「該当の同字のキー４の２個のキー」を同時に    押すことによって行なわれる。
３、（３図）は、左の列から「第二列と第三列が『なにぬねの』」を入力するためのキー  ４の配列図である。
イ、「な・に・ぬ・ね・の」の入力は、「該当の同字のキー４の２個のキー」を同時に    押すことによって行なわれる。
４、（４図）は、左の列から「第一列と第二列が『まみむめも』」を入力するためのキー  ４の配列図である。
イ、「ま・み・む・め・も」の入力は、「該当の同字のキー４の２個のキー」を同時に    押すことによって行なわれる。
５、（５図）は、左の列から「第二列と第四列が『やゆよわん』」を入力するためのキー  ４の配列図である。
イ、「や・ゆ・よ・わ・ん」の入力は、「該当の同字のキー４の２個のキー」を同時に    押すことによって行なわれる。
６、（６図）は、左の列から「第一列と第三列が『らりるれろ』」を入力するためのキー  ４の配列図である。
イ、「ら・り・る・れ・ろ」の入力は、「該当の同字のキー４の２個のキー」を同時に    押すことによって行なわれる。【００１３】７、「濁音としての『ばびぶべぼ・だぢづでど・ざじずぜぞ・がぎぐげご』」の入力に関  しては、（１図）を参照図として、以下のイ〜ニのように決定される。
イ、「ば」は、「はキーを押した直後にＡキーを押すこと」もしくは「はキーとＡキー    を同時に押すこと」によって、
「び」は、「ひキーを押した直後にＢキーを押すこと」もしくは「ひキーとＢキー    を同時に押すこと」によって、
「ぶ」は、「ふキーを押した直後にＣキーを押すこと」もしくは「ふキーとＣキー    を同時に押すこと」によって、
「べ」は、「へキーを押した直後にＤキーを押すこと」もしくは「へキーとＤキー    を同時に押すこと」によって、
「ぼ」は、「ほキーを押した直後にＥキーを押すこと」もしくは「ほキーとＥキー    を同時に押すこと」によって、
それぞれ入力される。
ロ、「だ」は、「たキーを押した直後にＡキーを押すこと」もしくは「たキーとＡキー    を同時に押すこと」によって、
「ぢ」は、「ちキーを押した直後にＢキーを押すこと」もしくは「ちキーとＢキー    を同時に押すこと」によって、
「づ」は、「つキーを押した直後にＣキーを押すこと」もしくは「つキーとＣキー    を同時に押すこと」によって、
「で」は、「てキーを押した直後にＤキーを押すこと」もしくは「てキーとＤキー    を同時に押すこと」によって、
「ど」は、「とキーを押した直後にＥキーを押すこと」もしくは「とキーとＥキー    を同時に押すこと」によって、
それぞれ入力される。
ハ、「ざ」は、「さキーを押した直後にＡキーを押すこと」もしくは「さキーとＡキー    を同時に押すこと」によって、
「じ」は、「しキーを押した直後にＢキーを押すこと」もしくは「しキーとＢキー    を同時に押すこと」によって、
「ず」は、「すキーを押した直後にＣキーを押すこと」もしくは「すキーとＣキー    を同時に押すこと」によって、
「ぜ」は、「せキーを押した直後にＤキーを押すこと」もしくは「せキーとＤキー    を同時に押すこと」によって、
「ぞ」は、「そキーを押した直後にＥキーを押すこと」もしくは「そキーとＥキー    を同時に押すこと」によって、
それぞれ入力される。
ニ、「が」は、「かキーを押した直後にＡキーを押すこと」もしくは「かキーとＡキー    を同時に押すこと」によって、
「ぎ」は、「きキーを押した直後にＢキーを押すこと」もしくは「きキーとＢキー    を同時に押すこと」によって、
「ぐ」は、「くキーを押した直後にＣキーを押すこと」もしくは「くキーとＣキー    を同時に押すこと」によって、
「げ」は、「けキーを押した直後にＤキーを押すこと」もしくは「けキーとＤキー    を同時に押すこと」によって、
「ご」は、「こキーを押した直後にＥキーを押すこと」もしくは「こキーとＥキー    を同時に押すこと」によって、
それぞれ入力される。【００１４】８、「半濁音としての『ぱぴぷぺぽ』」の入力に関しては、（３図）を参照図として、以  下のイのように決定される。
イ、「ぱ」は、「な・なの２個のキーを同時に押した直後にＡキーを押すこと」もしく    は「な・なの２個のキーとＡキーを同時に押すこと」によって、
「ぴ」は、「に・にの２個のキーを同時に押した直後にＢキーを押すこと」もしく    は「に・にの２個のキーとＢキーを同時に押すこと」によって、
「ぷ」は、「ぬ・ぬの２個のキーを同時に押した直後にＣキーを押すこと」もしく    は「ぬ・ぬの２個のキーとＣキーを同時に押すこと」によって、
「ぺ」は、「ね・ねの２個のキーを同時に押した直後にＤキーを押すこと」もしく    は「ね・ねの２個のキーとＤキーを同時に押すこと」によって、
「ぽ」は、「の・のの２個のキーを同時に押した直後にＥキーを押すこと」もしく    は「の・のの２個のキーとＥキーを同時に押すこと」によって、
それぞれ入力される。【００１５】９、「拗音としての『あいうえお・やゆよ』」の入力に関しては、（２図）および（５図  ）を参照図として、以下のイ・ロのように決定される。
イ、「あ」は、「あ・あの２個のキーを同時に押した直後にＡキーを押すこと」もしく    は「あ・あの２個のキーとＡキーを同時に押すこと」によって、
「い」は、「い・いの２個のキーを同時に押した直後にＢキーを押すこと」もしく    は「い・いの２個のキーとＢキーを同時に押すこと」によって、
「う」は、「う・うの２個のキーを同時に押した直後にＣキーを押すこと」もしく    は「う・うの２個のキーとＣキーを同時に押すこと」によって、
「え」は、「え・えの２個のキーを同時に押した直後にＤキーを押すこと」もしく    は「え・えの２個のキーとＤキーを同時に押すこと」によって、
「お」は、「お・おの２個のキーを同時に押した直後にＥキーを押すこと」もしく    は「お・おの２個のキーとＥキーを同時に押すこと」によって、
ロ、「や」は、「や・やの２個のキーを同時に押した直後にＡキーを押すこと」もしく    は「や・やの２個のキーとＡキーを同時に押すこと」によって、
「ゆ」は、「ゆ・ゆの２個のキーを同時に押した直後にＢキーを押すこと」もしく    は「ゆ・ゆの２個のキーとＢキーを同時に押すこと」によって、
「よ」は、「よ・よの２個のキーを同時に押した直後にＣキーを押すこと」もしく    は「よ・よの２個のキーとＣキーを同時に押すこと」によって、
それぞれ入力される。【００１６】１０、「促音としての『つ』」の入力に関しては、以下のイのように決定される。
イ、「Ｄの１個のキーを単独で押すこと」によって、入力される。
１１、「長音としての『ー』」の入力に関しては、以下のイのように決定される。
イ、「Ｅの１個のキーを単独で押すこと」によって、入力される。【００１７】  「発声障害者が携帯したキー入力発声器１のキー押し装置２の盤面の各キー４に対するキー押し操作を行ない発声装置３における相応の発声を行なう様相に関する一例」としては、以下の「１におけるイ〜リ」のとおりである。
１、「発声障害者が『ピッチングフォーム』という言葉を発声しようとする場合」におい  ては、以下のイ〜リのように、「該当の１個のキー４を単独で押すこと」もしくは「該  当の２個のキー４を同時に押すこと」もしくは「該当の１個のキー４を押した直後に他  の該当の１個のキー４を押すこと」もしくは「該当の２個のキー４を同時に押した直後  に他の該当の１個のキー４を押すこと」もしくは「該当の２個のキー４と他の該当の１  個のキー４を同時に押すこと」によって順次に発声がなされる。
イ、「『ぴ』の発声」は、「に・にの２個のキーを同時に押した直後にＢキーを押すこ    と」もしくは「に・にの２個のキーとＢキーを同時に押すこと」によってなされる。
ロ、「『っ』の発声」は、「Ｄの１個のキーを単独で押すこと」によってなされる。
ハ、「『ち』の発声」は、「ちの１個のキーを単独で押すこと」によってなされる。
ニ、「『ん』の発声」は、「ん・んの２個のキーを同時に押すこと」によってなされる    。
ホ、「『ぐ』の発声」は、「くの１個のキーを単独で押した直後にＣキーを押すこと」    」もしくは「くキーとＣキーを同時に押すこと」によってなされる。
ヘ、「『ふ』の発声」は、「ふの１個のキーを単独で押すこと」によってなされる。
ト、「『ぉ』の発声」は、「お・おの２個のキーを同時に押した直後にＥキーを押すこ    と」もしくは「お・おの２個のキーとＥキーを同時に押すこと」によってなされる。
チ、「『ー』の発声」は、「Ｅの１個のキーを単独で押すこと」によってなされる。
リ、「『む』の発声」は、「む・むの２個のキーを同時に押すこと」によってなされる    。
２、発声障害者は、「携帯したキー入力発声器１のキー押し装置２の盤面の各キー４に対  する『１のイ〜リに示すようなキー押し操作』を行ない発声装置３における相応の発声  を行なうこと」によって、他者に対して「ピッチングフォームという言葉」を音声とし  て伝達することができ、本願発明の機能と効果を得ることができる。【００１８】  ただし、「キー押し装置２において２個のキー４を同時に押してひらがなの一音声を発声させる」に際しては、
１、例えば、「あ」の発声は、「（２図）における『あ』と『あ』の２個のキー４を同時  に押して『あ』を発声させる」こととなるが、「この『あ』と『あ』の２個のキー４の  同時押し操作」においては、「キー押し操作をする２本の指（例えば人差し指と中指）  の動きの微妙な遅速の差異」から１００分の１秒単位程度の厳密な時間で測定した場合  には２個のキー４が完全に同時に押されることは起こりにくく、いずれかのキー４が先  に押されたのち他のキー４が押されることとなるはずである。
２、すなわち、キー押し操作者が「２個のキー４を同時に押した」つもりではあっても、  １００分の１秒単位程度の厳密な時間で測定した場合には、
イ、先行指によって三列目の『あ』が押された直後に後行指によって四列目の『あ』が    押されて「双方の指による２個のキー４の同時押し」が成立する。
もしくは、逆に、
ロ、先行指によって四列目の『あ』が押された直後に後行指によって三列目の『あ』が    押されて「双方の指による２個のキー４の同時押し」が成立する。
こととなる。【００１９】３、したがって、（１図）と（２図）を参照してみれば、
イ、「２のイの場合」には、先行指によって『さ』が押された直後に後行指によって『    か』が押されたこととなり、発声装置３は「さ」と発声したのち『あ』と発声する恐    れがあり、「意図していた『あ』の発声」の前に不要な「さ」の発声が挿入されるこ    とによって伝達内容の正確な放送ができなくなる恐れがある。
ロ、「２のロの場合」には、先行指によって『か』が押された直後に後行指によって『    さ』が押されたこととなり、発声装置３は「か」と発声したのち『あ』と発声する恐    れがあり、「意図していた『あ』の発声」の前に不要な「か」の発声が挿入されるこ    とによって伝達内容の正確な放送ができなくなる恐れがある。
ハ、例えば、「あかるい」と発声したい場合でも、「さあかるい・かあかるい」と発声    されてしまう恐れがあることとなる。
４、「３のイ・ロ・ハの事態」を防止するためには、「発声装置３において設計される発  声プログラミング」において、
イ、「２のイの場合」のように、「先行指によって『さ』が押された直後に後行指によ    って『か』が押されることによって双方の指による双方のキーの同時押しが成立した    場合」には、この「同時押しの成立の事実」を根拠として、「『さ』の入力が自動的    に取り消され『あ』の入力が成立し『あ』のみの発声が成される」ようにプログラミ    ングされておけば、「意図した『あ』のみの発声」がなされることとなる。
同様に、
ロ、「２のロの場合」のように、「先行指によって『か』が押された直後に後行指によ    って『さ』が押されることによって双方の指による双方のキーの同時押しが成立した    場合」には、この「同時押しの成立の事実」を根拠として、「『か』の入力が自動的    に取り消され『あ』の入力が成立し『あ』のみの発声が成される」ようにプログラミ    ングされておけば、「意図した『あ』のみの発声」がなされることとなる。
ハ、したがって、イ・ロのプログラミングがなされておりさえすれば、「あかるい」と    発声したい場合においても意図どおりに「あかるい」と発声されることとなり、実用    に際しての問題は生じないこととなる。【００２０】５、「上記の１〜４の事例」は、
イ、「同字の２個のキー４が同時に押されることによって成立する『清音・撥音』のす    べてのキー入力と発声」としての「あいうえお・なにぬねの・まみむめも・やゆよわ    ん・らりるれろ」のそれぞれのキー入力と発声。
ロ、「同字の２個のキー４が同時に押されたのちに五列目のキー４が押されることによ    って成立する『半濁音・拗音』のすべてのキー入力と発声」としての「ぱぴぷぺぽ」    「あいうえお・やゆよ」のそれぞれのキー入力と発声。
においても同様に成立されるべきである。
６、したがって、「４のイ・ロにおけるようなプログラミング」がなされておけば「同字  の２個のキー４が同時に押されることによって成立するすべてのひらがなの入力と発声  」が発声障害者の意図したとおりに正確に行なえることとなり、「１個のキー４が単独  で押されることによって成立するすべてのひらがなの入力と発声」と合わせて、本願発  明は「すべてのひらがなの入力と発声」において有効に機能することとなる。【００２１】  昨今の電子機器部品の著しい能力的進化から、発声装置３における発声精度については今後もさらに向上することは確実であり、当然、将来時点においては「本願発明における発声機能の精密性・正確性・高速性」もいっそう向上し「発声障害者における音声伝達機器としての信頼性・利便性」も十二分に確立されるはずである。【００２２】  もとより、発声障害者が「キー入力発声器１におけるキー押し操作」において自身の意思や情報を自在に正確に迅速に他者に伝達するためには、事前に相応の正確かつ迅速なキー押し訓練を行なっておくことは絶対的に必要であり、早口な言葉使いにも対応できる程度の迅速なキー押し操作に習熟しておく必要があることは言うまでもないことである。
【産業上の利用可能性】
【００２３】  本願発明は、発声障害者における「他者に対する自身の意思や情報の正確かつ迅速な伝達」のために多大の効果を提供するものであり、産業上およびまた発声障害者福祉の必要性からもその利用可能性は極めて大である。
【符号の説明】
【００２４】１は、キー入力発声器。
２は、キー押し装置。
３は、発声装置。
４は、キー。
【要約】
【課題】発声障害者がキー押し装置２において所定のキー押し操作を行ない発声装置３を発声させることによって他者に対して自身の意思や情報を伝達する。
【解決手段】「キー押し操作によって自身の意思や情報をひらがなとしての音素別に順次に発声装置３に送信するキー押し装置２」と「キー押し装置２から順次に送信されてくるひらがなを順次に当該のひらがなの音声に変換し他者に向けて発声し放送する発声装置３」の２種の装置の連携的作動によって、「発声障害者がキー押し装置２におけるキー押し操作によって入力したひらがなを発声装置３において順次に当該のひらがなの音声に変換して他者に向けて発声し放送すること」によって他者に対する音声による意思や情報の伝達を行なえるようにする。
【選択図】図１【図１】
0006682129.tif 000002
【図２】
0006682129.tif 000003